(57)【要約】【課題】放送電波の不感地帯においても電波信号を受信することができる携帯端末、放送受信システムを提供する。【解決手段】携帯端末１０、１１、１２が有する端末アンテナ１３０、１４０、１５０から放送電波を受信できない場合、テレビジョン装置２０のスイッチ部２００はＵＳＢインターフェイス部２６０から整合部２５０に切り換え、携帯端末１０に電波信号を送信する。スイッチ部２１０はＨＤＭＩ入力部２６１から整合部２５１に切り換えて電波信号を入力し、携帯端末１１に送信する。スイッチ部２２０はビデオ入力部２６２から整合部２５２に切り換えて電波信号を入力し、携帯端末１２に送信する。携帯端末１０、１１、１２は、テレビジョン装置２０から電波信号を受信すると、携帯端末１０、１１、１２のチューナ部１００、１１０、１２０はテレビジョン装置２０から受信した電波信号の放送を表示する。【選択図】図１
2014011516.tif 000002
【特許請求の範囲】
【請求項１】
放送受信装置で受信されたデジタル放送の電波信号を入力するインターフェイスと、
電波信号を入力して復調するチューナと、
当該携帯端末が有するアンテナの電波信号と、前記インターフェイスからの電波信号を切り換えるスイッチと、
前記スイッチが前記インターフェイスからの電波信号に切り換えられたとき、前記インターフェイスからの電波信号を前記チューナが入力することを特徴とする携帯端末。
【請求項２】
外部機器に接続される入力インターフェイスを有し、デジタル放送を受信する放送受信装置において、
アンテナで受信されたデジタル放送の電波信号を出力する出力インターフェイスと、
前記アンテナにより受信した前記電波信号を分配する電波信号分配手段と、
前記電波信号分配手段から入力した前記電波信号と、前記入力インターフェイスからの入力信号とを切り換えて出力インターフェイスから出力するスイッチと
を備えることを特徴とする放送受信装置。
【請求項３】
外部機器に接続される入力インターフェイスを有し、デジタル放送を受信する放送受信装置と、携帯端末とを備える放送受信システムにおいて、
前記放送受信装置は、
当該放送受信装置の第１のアンテナで受信されたデジタル放送の電波信号を出力する出力インターフェイスと、
前記第１のアンテナにより受信した前記電波信号を分配する電波信号分配手段と、
前記電波信号分配手段から入力した前記電波信号と、前記入力インターフェイスからの入力信号とを切り換えて出力インターフェイスから出力する第１のスイッチと
を有し、
前記携帯端末は、
前記第１のアンテナで受信されたデジタル放送の電波信号を入力するインターフェイスと、
電波信号を入力して復調するチューナと、
当該携帯端末が有する第２のアンテナの電波信号と、前記インターフェイスからの電波信号を切り換える第２のスイッチと
を有し、
前記第２のスイッチが前記インターフェイスからの電波信号に切り換えられたときに、前記インターフェイスからの電波信号を前記チューナが入力することを特徴とする放送受信システム。
【請求項４】
放送受信装置のアンテナで受信されたデジタル放送の電波信号とを入力し、
当該携帯端末が有するアンテナの電波信号と、インターフェイスからの電波信号を切り換え、
スイッチが前記インターフェイスからの電波信号に切り換えられたときに、前記インターフェイスからの電波信号をチューナが入力することを特徴とする携帯端末の放送受信方法。
【発明の詳細な説明】
【技術分野】
【０００１】
本発明は、良好な状態でテレビジョン放送の信号を受信できるようにするための携帯端末、放送受信装置、放送受信システム、及び携帯端末の放送受信方法に関する。
【背景技術】
【０００２】
近年、地上デジタル放送における、携帯端末・移動体端末向けの１セグメント部分受信サービス（以下、「ワンセグ」という）放送が開始されたことにより、携帯電話を用いてワンセグ放送を受信することができるようになった。このワンセグ放送の普及により、多くの人が携帯端末でテレビジョン放送を視聴するようになった。また、携帯端末・移動体端末向けのフルセグメント受信サービス（以下、「フルセグ」という）放送を受信するフルセグチューナを内蔵した携帯端末なども販売されたことで、携帯端末の利便性が向上し、携帯端末でどこでもテレビジョン放送を視聴できることが必要になってきている。
【０００３】
ワンセグ放送電波を受信することができない場所や地点（以下、「不感地帯」という）であっても携帯電話などの移動体端末でワンセグ放送の信号を受信して、ワンセグ放送を視聴することができる技術として特開２００９−２４６８５８号公報（特許文献１）を挙げることができる。特許文献１に開示の技術では、ワンセグ放送電波の不感地帯において、移動体端末を利用してワンセグ放送を受信したい場合には、家屋に固設されているテレビ端子へ給電線を介して接続されるシート状の放射部を机上に展開し、このシート状の放射部の上に移動体端末を載置することでワンセグ放送の信号を至近距離から移動体端末が受信できるようにしている。
【先行技術文献】
【特許文献】
【０００４】
【特許文献１】特開２００９−２４６８５８号公報
【発明の概要】
【発明が解決しようとする課題】
【０００５】
上記のように、特許文献１に開示の技術におけるワンセグ信号用放射装置の構造では、家屋に固設されているテレビ端子から給電線を介してシート状の放射部に電波を放射させ、移動体端末がシート状の放射部から電波を受信しているので、シート状の放射部やテレビ端子とを接続する給電線などの機器が必要であるのでコストがかかる。
【０００６】
本発明はこのような状況に鑑みてなされたものであり、上記課題を解決できる技術を提供することを目的とする。
【課題を解決するための手段】
【０００７】
本発明の携帯端末は、放送受信装置で受信されたデジタル放送の電波信号を入力するインターフェイスと、電波信号を入力して復調するチューナと、当該携帯端末が有するアンテナの電波信号と、前記インターフェイスからの電波信号を切り換えるスイッチと、前記スイッチが前記インターフェイスからの電波信号に切り換えられたとき、前記インターフェイスからの電波信号を前記チューナが入力することを特徴としている。
また、本発明の放送受信装置は、外部機器に接続される入力インターフェイスを有し、デジタル放送を受信する放送受信装置において、アンテナで受信されたデジタル放送の電波信号を出力する出力インターフェイスと、前記アンテナにより受信した前記電波信号を分配する電波信号分配手段と、前記電波信号分配手段から入力した前記電波信号と、前記入力インターフェイスからの入力信号とを切り換えて出力インターフェイスから出力するスイッチとを備えることを特徴としている。
また、本発明の放送受信システムは、外部機器に接続される入力インターフェイスを有し、デジタル放送を受信する放送受信装置と、携帯端末とを備える放送受信システムにおいて、前記放送受信装置は、当該放送受信装置の第１のアンテナで受信されたデジタル放送の電波信号を出力する出力インターフェイスと、前記第１のアンテナにより受信した前記電波信号を分配する電波信号分配手段と、前記電波信号分配手段から入力した前記電波信号と、前記入力インターフェイスからの入力信号とを切り換えて出力インターフェイスから出力する第１のスイッチとを有し、前記携帯端末は、前記第１のアンテナで受信されたデジタル放送の電波信号を入力するインターフェイスと、電波信号を入力して復調するチューナと、当該携帯端末が有する第２のアンテナの電波信号と、前記インターフェイスからの電波信号を切り換える第２のスイッチとを有し、前記第２のスイッチが前記インターフェイスからの電波信号に切り換えられたときに、前記インターフェイスからの電波信号を前記チューナが入力することを特徴としている。
また、本発明の携帯端末の放送受信方法は、放送受信装置のアンテナで受信されたデジタル放送の電波信号とを入力し、当該携帯端末が有するアンテナの電波信号と、インターフェイスからの電波信号を切り換え、スイッチが前記インターフェイスからの電波信号に切り換えられたときに、前記インターフェイスからの電波信号をチューナが入力することを特徴としている。
【発明の効果】
【０００８】
本発明によれば、地上デジタル放送（以下、「デジタル放送」という）におけるワンセグ放送またはフルセグ放送の電波（以下、「放送電波」という）の不感地帯においても新たに機器を必要とせずに、携帯端末により放送電波の信号（以下、「電波信号」という）を受信することができる携帯端末、放送受信装置、放送受信システム、及び携帯端末の放送受信方法を提供できる。
【図面の簡単な説明】
【０００９】
【図１】本発明の実施の形態に係るテレビジョン放送受信システムＸの制御構成を示すブロック図である。
【図２】本発明の実施の形態に係る携帯端末における電波信号受信処理を示すフローチャートである。
【図３】本発明の実施の形態に係る携帯端末とテレビジョン装置のＵＳＢ接続の詳細を示すブロック図である。
【図４】本発明の実施の形態に係る携帯端末の電波信号受信処理におけるＵＳＢ判定処理を示すフローチャートである。
【図５】本発明の実施の形態に係る携帯端末とテレビジョン装置のＭＨＬ接続の詳細を示すブロック図である。
【図６】本発明の実施の形態に係る携帯端末とテレビジョン装置のＭＨＬ接続の回路例を示す概念図である。
【図７】本発明の実施の形態に係る携帯端末の電波信号受信処理におけるＭＨＬ判定処理を示すフローチャートである。
【図８】本発明の実施の形態に係る携帯端末とテレビジョン装置のビデオ接続の詳細を示すブロック図である。
【図９】本発明の実施の形態に係る携帯端末の電波信号受信処理におけるビデオ判定処理を示すフローチャートである。
【発明を実施するための形態】
【００１０】
以下、本発明を実施するための実施の形態を、図面を参照して説明する。本発明の実施の形態のテレビジョン放送受信システムＸは、携帯端末１０、１１、１２がテレビジョン装置２０に接続している。
【００１１】
実施の形態における図１のテレビジョン放送受信システムＸの構成について説明する。図１に示すように、本発明の実施の形態に係るテレビジョン放送受信システムＸは、携帯端末１０、１１、１２のような端末とテレビジョン装置２０とが、それぞれケーブル３０、３１、３２で接続されて構成されている。
携帯端末１０、１１、１２は、デジタル放送を受信可能な携帯電話、スマートフォン、ＰＤＡ（パーソナル・データ・アシスタント）、ＭＩＤ（モバイル・インターネット端末）、ネットブック、ノートＰＣ、ワンセグ放送を受信する携帯型のテレビジョン受信装置（テレビ）、ビデオゲーム機等の携帯端末である。
テレビジョン装置２０は、テレビジョン装置用のアンテナ（以下、「ＴＶアンテナ」という）２３０からデジタル放送のフルセグ放送やワンセグ放送、衛星デジタル放送等のデジタルテレビジョン放送の電波を受信する。
携帯端末１０、１１、１２は、チューナ部１００、１１０、１２０に接続された携帯端末用のアンテナ（以下、「端末アンテナ」という）１３０、１４０、１５０からの放送電波の受信が不可能になった場合、携帯端末１０、１１、１２を各種コネクタを用いてテレビジョン装置２０に接続して、電波信号であるＲＦ（Ｒａｄｉｏ  Ｆｒｅｑｕｅｎｃｙ）を受信することができる。これにより、デジタル放送を受信できる。
【００１２】
携帯端末１０は、チューナ部１００及びＵＳＢコネクタ１０７を備える。同様に、携帯端末１１は、チューナ部１１０及びＵＳＢ共用コネクタ１１７を備える。同様に、携帯端末１２は、チューナ部１２０及び平型コネクタ１２７を備える。
【００１３】
チューナ部１００、１１０、１２０は、チューナ、及びスイッチ（切り換え手段）を含む部位である。チューナ部１００、１１０、１２０のスイッチは、チューナへの電波信号を、ＵＳＢ等の通常の通信信号のコネクタから入力するよう切り換えることができる。チューナ部１００、１１０、１２０の詳細な構成については、後述する。
なお、チューナ部１００、１１０、１２０は、ワンセグ放送だけではなく、通常の「フルセグ」のデジタル放送と衛星デジタル放送を受信可能とする構成にすることも可能である。
【００１４】
ＵＳＢコネクタ１０７、ＵＳＢ共用コネクタ１１７、平型コネクタ１２７は、一般的な規格の通常の通信信号を送受信するためのコネクタである。すなわち、本実施の形態のＵＳＢコネクタ１０７、ＵＳＢ共用コネクタ１１７、平型コネクタ１２７は、対応する信号に加えて、データ線や信号線から電波信号の受信を行う。
端末携帯１１のＵＳＢ共用コネクタ１１７は、通常のＡ／Ｂ／マイクロ／ミニ／ＵＳＢ２．０／３．０規格や後継規格に対応したコネクタやＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のコネクタ等の一般的なコネクタ又は独自のコネクタを用いる。また、ＵＳＢ共用コネクタ１１７からも、通常のＵＳＢ端子と同様に電源を入力／出力可能である。
端末携帯１２の平型コネクタ１２７は、携帯電話等からＡＶ（Ａｕｄｉｏ  Ｖｉｓｕａｌ）出力として外部ディスプレイに接続するための「平型」端子等のコネクタである。すなわち、平型コネクタ１２７は、ビデオ（コンポジット）信号線から電波信号を受信可能である。さらに、オーディオ入力等の入力ピンから、＋５Ｖ等の電源を入力／出力可能である。
なお、携帯端末１０、１１、１２は、この他にもＣＰＵ等の制御部や、ＲＡＭやフラッシュメモリ等の記憶部、液晶や有機ＥＬ等の表示部、各種ボタンやセンサ等の入力部等の携帯端末に必要なハードウェア資源を備えている。
また、携帯端末１０、１１、１２は、いずれか１つ又は複数をテレビジョン装置２０に接続することができる。また、同種の携帯端末を接続することもできる。
【００１５】
テレビジョン装置２０は、スイッチ部２００、２１０、２２０と、ＵＳＢコネクタ２０５、ＨＤＭＩコネクタ２１５、ＲＣＡコネクタ２２５と、ＴＶアンテナ２３０と、Ｆ接栓アンテナ端子２４０と、整合部２５０、２５１、２５２と、ＵＳＢインターフェイス部２６０と、ＨＤＭＩ入力部２６１と、ビデオ入力部２６２を備えている。ＵＳＢインターフェイス部２６０と、ＨＤＭＩ入力部２６１と、ビデオ入力部２６２とは、通常の通信信号の接続部位である。
【００１６】
スイッチ部２００は、整合部２５０からの信号又はＵＳＢインターフェイス部２６０からの信号のいずれかをＵＳＢコネクタ２０５へ出力するかを切り換えるための電子スイッチやリレー等である。
スイッチ部２１０は、整合部２５１からの信号又はＨＤＭＩ入力部２６１からの信号のいずれかをＨＤＭＩコネクタ２１５へ出力するかを切り換えるための電子スイッチやリレー等である。
スイッチ部２２０は、整合部２５２からの信号又はビデオ入力部２６２からの信号のいずれかをＲＣＡコネクタ２２５へ出力するかを切り換えるための電子スイッチやリレー等である。
携帯端末１０、１１、１２が自装置に備わる端末アンテナ１３０、１４０、１５０から放送電波を受信できない状況になった場合、テレビジョン装置２０にケーブル３０、３１、３２で接続し、テレビジョン装置２０のメニュー画面からＵＳＢ、ＭＨＬ、ＲＣＡの切り換え操作が行われたとき、またはテレビジョン装置２０の電源がオフされたときに、テレビジョン装置２０のＴＶアンテナ２３０が受信する放送電波を携帯端末１０、１１、１２で受信可能となる。逆に、携帯端末１０、１１、１２が放送電波を受信できる場合には、スイッチ部２００、２１０、２２０は、それぞれＵＳＢインターフェイス部２６０、ＨＤＭＩ入力部２６１、ビデオ入力部２６２に切り換え、通常のＵＳＢ、ＨＤＭＩ、ビデオ入力端子として機能させる。
【００１７】
テレビジョン装置２０が携帯端末１０、１１、１２に放送電波の送信を行うようにするための電波送信切り換えの条件は、ＵＳＢコネクタ２０５、ＨＤＭＩコネクタ２１５、またはＲＣＡコネクタ２２５を使用していない状態において、テレビジョン装置２０のメニュー画面からＵＳＢ、ＭＨＬ、ＲＣＡの切り換え操作が行われたとき、またはテレビジョン装置２０の電源がオフされたときに、放送電波の送信が行われる。また、携帯端末１０、１１、１２がテレビジョン装置２０から放送電波の受信を行うようにするための電波受信切り換えの条件は、携帯端末１０、１１、１２が放送電波の受信を行う状態において、テレビジョン装置２０と接続され、端末アンテナ１３０、１４０、１５０から放送電波を受信できない場合に、テレビジョン装置２０から電波信号を受信する。
【００１８】
ＵＳＢコネクタ２０５は、通常のＵＳＢ２．０やＵＳＢ３．０やその後継規格（以下、「通常のＵＳＢ」という）での信号を送受信するためのコネクタである。
ＨＤＭＩコネクタ２１５は、ＨＤＭＩ、ＤＶＩ、ディスプレイポート等のコネクタであり、各種のＨＤＭＩコネクタ等である。
ＲＣＡコネクタ２２５は、コンポジット信号を入力可能なＲＣＡコネクタ等である。ＲＣＡコネクタ２２５は、ビデオ（コンポジット）端子のＲＣＡコネクタ２２５の他に、音声入力やコンポーネント入力等、各種のＲＣＡコネクタ２２５を用いることができる。
【００１９】
整合部２５０、２５１、２５２は、Ｆ接栓アンテナ端子２４０側の同軸ケーブルが有する７５Ωの特性インピーダンスと、スイッチ部２００、２１０、２２０側のフィーダー線が有する１００Ωの特性インピーダンスの整合を保つための部位である。
整合部２５０は、Ｆ接栓アンテナ端子２４０から放送電波を入力すると、スイッチ２００に電波信号を出力する。
整合部２５１は、Ｆ接栓アンテナ端子２４０から放送電波を入力すると、スイッチ２１０に電波信号を出力する。
整合部２５２は、Ｆ接栓アンテナ端子２４０から放送電波を入力すると、スイッチ２２０に電波信号を出力する。
【００２０】
ＵＳＢインターフェイス部２６０は、通常のＵＳＢで各種機器と通信するための接続部位である。
ＨＤＭＩ入力部２６１は、ＨＤＭＩ信号入力のインターフェイスとＭＨＬインターフェイスとを兼用する接続部位である。ＨＤＭＩ入力部２６１は、ＨＤＭＩのデジタル信号を入力して、テレビジョン装置２０の映像入力部（図示せず）、音声入力部（図示せず）、通常のＭＨＬ信号での送受信に用いるＭＨＬインターフェイス部（図示せず）に送信することができる。
ビデオ入力部２６２は、コンポジット信号を入力してＡ／Ｄ変換等を行い、映像入力部（図示せず）へ送信することができる。
【００２１】
Ｆ接栓アンテナ端子２４０は、ＴＶアンテナ２３０が受信した放送電波を入力する部位である。
Ｆ接栓アンテナ端子２４０は、テレビジョン放送電波を入力すると、整合部２５０、２５１、２５２と、ＴＶチューナ２７０とに出力する。
ＴＶチューナ２７０は、Ｆ接栓アンテナ端子２４０から入力したテレビジョン放送電波を復調し、テレビジョン装置２０の映像入力部（図示せず）、音声入力部（図示せず）に出力する。
【００２２】
なお、図１のテレビジョン装置２０については、携帯端末１０、１１、１２との信号受信部位について主に説明している。テレビジョン装置２０は、この他にも、各部への制御を行う制御演算手段であるＣＰＵや制御回路等の制御部、制御部がハードウェア資源を用いて実行するプログラムやデータを記憶するＲＡＭやＲＯＭやフラッシュメモリ等の記憶部、静止画像や動画像等の映像を表示する液晶ディスプレイや有機ＥＬディスプレイ等の表示部、ＨＤＭＩ等で映像信号を出力する出力部、赤外線リモコン等のセンサやボタン等である入力部を備えることができる。
【００２３】
ケーブル３０、３１、３２は、他の用途に使用可能な一般的なケーブルを用いることができる。
ケーブル３０は、例えば、通常のＵＳＢ端子であるＵＳＢコネクタ１０７と、携帯電話等用のＵＳＢコネクタ２０５に対応した、ＵＳＢケーブルなどである。ここで、ＵＳＢ２．０規格に対応したケーブルは、通常のＵＳＢ接続の場合には４８０Ｍｂｐｓ（Ｍｅｇａ ｂｉｔ ｐｅｒ ｓｅｃｏｎｄ）程度でデータを送受信することが可能な高周波数に対応したケーブルである。このため、ＵＳＢケーブル３０にＵＳＢケーブルを用いることで、デジタル放送の電波信号を十分に送受信できる。また、ケーブル３０は、給電可能なＵＳＢケーブルであり、テレビジョン装置２０から＋５Ｖ等が携帯端末１０に供給されるため、携帯端末１０の電源は切れていてもよい。なお、ケーブル３０は、ＩＤ端子を短絡したＵＳＢホストケーブルを用いることもできる。
ケーブル３１は、テレビジョン装置２０に備えられた、例えば、ＨＤＭＩ端子のようなデジタル映像端子のＨＤＭＩコネクタ２１５と、携帯端末１１等の携帯端末にてＨＤＭＩ端子と共用されているＵＳＢ共用端子であるＵＳＢ共用コネクタ１１７とに接続するための一般的なＭＨＬケーブルである。ＭＨＬは４Ｇｂｐｓ程度の高速のデータ送信を行うことができる規格であり、ＨＤＭＩを伝送可能なＭＨＬケーブルはＳＴＰ（Ｓｈｉｅｌｄｅｄ Ｔｗｉｓｔｅｄ Ｐａｉｒ）仕様で低ノイズのケーブルである。このため、ケーブル３１は、電波信号を伝送するのに好適である。また、このケーブル３１も、ＵＳＢと同様な端子配列等にて給電可能なケーブルである。つまり、ケーブル３１を介して電波信号が送信されている際にも、携帯端末１１の電源が切れていてもよい。
ケーブル３２は、例えば、テレビジョン装置２０に備わっているＲＣＡ端子と、ＡＶ出力可能携帯端末用の平型端子に接続する一般的なＲＣＡ−平型端子ケーブルである。ここで、コネクタ２２５の音声入力用のＲＣＡ端子に接続し、ケーブル３２を介してテレビジョン装置２０から携帯端末１２に電源を供給可能である。このように、平型端子のケーブル３２を介して電波信号が送信されている場合にも、携帯端末１２の電源が切れていてもよい。
つまり、電力を供給可能なケーブル３０、３１、３２を用いることで、テレビジョン装置２０から、携帯端末１０、１１、１２への電力を供給し、携帯電話の電池を消耗しないようにすることができる。
【００２４】
〔テレビジョン放送受信システムの電波受信処理〕
次に、図２〜図９を参照して、携帯端末１０、１１、１２とテレビジョン装置２０とを用いた電波受信処理について説明する。
この処理では、携帯端末１０、１１、１２において、端末アンテナ１３０、１４０、１５０から電波を受信できない場合、ユーザがテレビジョン装置２０のメニュー画面からＵＳＢ、ＭＨＬ、ＲＣＡの切り換え操作を行う。
また、メニュー画面から上記切り換え操作を行うと、テレビジョン装置２０のスイッチ部２００、２１０、２２０は、ＵＳＢインターフェイス部２６０、ＨＤＭＩ入力部２６１、ビデオ入力部２６２側から整合部２５０、２５１、２５２側に切り換え、整合部２５０、２５１、２５２から電波信号を入力し、携帯端末１０、１１、１２に送信する。
携帯端末１０、１１、１２においては、端末アンテナ１３０、１４０、１５０から受信していたデジタル放送の電波信号を、テレビジョン装置２０から受信する。
以下、図２のフローチャートを参照して、本発明の実施の形態に係る携帯端末電波信号受信処理の各ステップの概略について説明する。
【００２５】
〈携帯端末１０、１１、１２における電波受信処理〉
（ステップＳ１０１）
まず、携帯端末１０、１１、１２の制御部は、端末アンテナ１３０、１４０、１５０からフルセグ放送やワンセグ放送等のデジタル放送が受信できるか否かについて判定する。
Ｙｅｓ、つまりデジタル放送を受信できる場合、制御部は処理をＳ１０２に進める。
Ｎｏ、つまりデジタル放送を受信できない場合、制御部は処理をステップＳ１０３に進める。
【００２６】
（ステップＳ１０２）
端末アンテナ１３０、１４０、１５０からデジタル放送が受信できる場合、携帯端末１０、１１、１２の制御部は、通常動作処理を行う。
この処理において、制御部は各部を制御し、端末アンテナ１３０、１４０、１５０からデジタル放送を受信し、復号化して表示部に表示させる等の各処理を行う。その後、制御部は、本発明の実施の形態に係る電波受信処理を終了する。
これにより、視聴者は通常のデジタル放送を受信することができる。
【００２７】
（ステップＳ１０３）
ここで、端末アンテナ１３０、１４０、１５０からデジタル放送が受信できない場合、携帯端末１０、１１、１２の制御部は、ＵＳＢ判定処理を行う。
この処理では、制御部は、ＵＳＢコネクタ１０７にテレビジョン装置２０が接続されているか否かと、テレビジョン装置２０から切り替え信号を受信したか否かを判定する。携帯端末１０のＵＳＢコネクタ１０７にテレビジョン装置２０が接続され、かつ切り替え信号を受信した場合、制御部は、電波の受信切り換えを行う。
このＵＳＢ判定処理と各部の動作の詳細については後述する。
【００２８】
（ステップＳ１０４）
次に、携帯端末１０、１１、１２の制御部は、ＭＨＬ判定処理を行う。
この処理では、携帯端末１０、１１、１２の制御部は、ＵＳＢ共用コネクタ１１７にテレビジョン装置２０が接続されているか否かと、テレビジョン装置２０から切り替え信号を受信したか否かを判定する。携帯端末１１のＵＳＢ共用コネクタ１１７にテレビジョン装置２０が接続され、かつ切り替え信号を受信した場合、制御部は、電波の受信切り換えを行う。
このＭＨＬ判定処理と各部の動作の詳細についても後述する。
【００２９】
（ステップＳ１０５）
次に、携帯端末１０、１１、１２の制御部は、ビデオ判定処理を行う。
この処理では、制御部は、ＲＣＡコネクタ２２５にテレビジョン装置２０が接続されているか否かと、テレビジョン装置２０から切り替え信号を受信したか否かを判定する。携帯端末１２のＲＣＡコネクタ２２５にテレビジョン装置２０が接続され、かつ切り替え信号を受信した場合、制御部は、電波の受信切り換えを行う。
このビデオ判定処理と各部の動作の詳細についても後述する。
【００３０】
（ステップＳ１０６）
次に、携帯端末１０、１１、１２の制御部は、テレビジョン装置２０のＴＶアンテナ２３０との接続があるか否かについて判定する。つまり、制御部は、携帯端末１０のチューナ部１００、携帯端末１１のチューナ部１１０、携帯端末１２のチューナ部１２０のいずれかが、テレビジョン装置２０のＴＶアンテナ２３０から電波を受信したか否かについて判定する。
Ｙｅｓ、すなわち電波が受信できた場合、制御部は処理をステップＳ１０７に進める。
Ｎｏ、すなわち電波が受信できなかった場合、制御部は処理をステップＳ１０８に進める。
【００３１】
（ステップＳ１０７）
電波が受信できた場合、携帯端末１０、１１、１２の制御部は、携帯端末１０のチューナ部１００、携帯端末１１のチューナ部１１０、携帯端末１２のチューナ部１２０のいずれかは電波をテレビジョン装置２０から受信する。これにより、電波状況が悪く、通常のデジタル放送のフルセグ放送やワンセグ放送が受信できないような環境でも、デジタル放送が受信可能となる。
以上により、携帯電波受信処理を終了する。
【００３２】
（ステップＳ１０８）
電波が受信できなかった場合、携帯端末１０、１１、１２の制御部は、受信不能処理を行う。この処理において、制御部は、表示部に「電波受信できません」等の表示を行う。
【００３３】
〈ＵＳＢ判定処理の詳細〉
次に、図３と図４を参照して、ＵＳＢ判定処理（図２）の詳細について説明する。
まず、図３を参照して、テレビジョン装置２０と携帯端末１０との間のＵＳＢ接続による電波信号の送受信の詳細について説明する。
テレビジョン装置２０は、ＵＳＢコネクタ２０５を介して例えば＋５Ｖの電源を供給するための電源２０１と、フルセグ放送やワンセグ放送等のデジタル放送に好適な帯域の電波を受信するＴＶアンテナ２３０と、Ｆ接栓アンテナ端子２４０から電波を受信して電波信号に変換する整合部２５０と、整合部２５０とＵＳＢインターフェイス部２６０を切り換えるためのＵＳＢスイッチ２０２と、ＵＳＢで各種機器と通信するためのＵＳＢインターフェイス部２６０と、Ｆ接栓アンテナ端子２４０から入力したテレビジョン放送電波を復調するＴＶチューナ２７０とを備えている。
また、携帯端末１０のチューナ部１００は、通常のＵＳＢ機器とデータを送受信するためのＵＳＢインターフェイス部１０１と、デジタル放送用の端末チューナ１０２と、ＵＳＢインターフェイス部１０１と端末チューナ部１０２とを切り換えるＵＳＢスイッチ１０３と、端末アンテナ１３０からの信号線とＵＳＢスイッチ１０３からの信号線とを切り換える端末チューナスイッチ１０４とを備えている。
以下で、図４のフローチャートを参照して、ＵＳＢ判定処理の詳細について、ステップ毎に説明する。
【００３４】
（ステップＳ１３１）
まず、携帯端末１０の制御部は、ＵＳＢコネクタ１０７にテレビジョン装置２０が接続されているか否かを判定する。つまり、制御部は、ＵＳＢコネクタ２０５とケーブル３０を介して、テレビジョン装置２０に接続できるか否かについて判定する。
Ｙｅｓの場合、制御部は、処理をステップＳ１３２に進める。
Ｎｏの場合、制御部は、処理をステップＳ１３５に進める。
【００３５】
（ステップＳ１３２）
次に、携帯端末１０の制御部は、ＵＳＢスイッチ切り換え処理を行う。
このステップの直前において、携帯端末１０のＵＳＢスイッチ１０３は、ＵＳＢコネクタ１０７がＵＳＢインターフェイス部１０１に接続されているものとする。また、端末チューナスイッチ１０４は、端末チューナ部１０２が端末アンテナ１３０に接続されているものとする。
ＵＳＢスイッチ１０３は、ＵＳＢコネクタ１０７への接続を、ＵＳＢインターフェイス部１０１から端末チューナスイッチ１０４に切り換える。端末チューナスイッチ１０４は、端末チューナ部１０２への接続を端末アンテナ１３０からの信号線からＵＳＢスイッチ１０３からの信号線に切り換える。
【００３６】
（ステップＳ１３３）
次に、携帯端末１０の制御部は、テレビジョン装置２０からＵＳＢデータペア線による電波信号の受信があるか否かについて判定する。すなわち、所定の待ち時間以内に、ＵＳＢコネクタ１０７又はＵＳＢスイッチ１０３にて、テレビジョン装置２０からの電波信号を受信できたか否かを判定する。
Ｙｅｓの場合、制御部は処理をステップＳ１３４に進める。
Ｎｏの場合、制御部は処理をステップＳ１３５に進める。
【００３７】
（ステップＳ１３４）
電波信号を受信できた場合、携帯端末１０の制御部は、ＵＳＢアンテナ・オン処理を行う。具体的には、端末チューナ部１０２がＵＳＢスイッチ１０３から電波信号を受信し、この電波信号からデジタル放送に必要な信号を復調する。
以上により、ＵＳＢ判定処理を終了する。
【００３８】
（ステップＳ１３５）
電波信号を受信できなかった場合、テレビジョン装置２０の制御部は、ＵＳＢアンテナ・オフ処理を行う。
この処理では、制御部は、ＵＳＢスイッチ１０３を端末チューナスイッチ１０４の接続からＵＳＢインターフェイス部１０１の接続に切り換え、端末チューナスイッチ１０４をＵＳＢスイッチ１０３からの信号線から端末アンテナ１３０からの信号線に切り換えることで切り替えを元に戻す。
ＵＳＢスイッチ１０３をＵＳＢインターフェイス部１０１に接続を戻すことで、通常のＵＳＢ接続に係る処理を行う。つまり、ＵＳＢコネクタ１０７に何も接続されていない場合には何の処理もしない。また、ＵＳＢコネクタ１０７に通常の電波信号の受信に対応していないＵＳＢ機器が接続されている場合には、その機器に係る処理を行う。
以上により、ＵＳＢ判定処理を終了する。
【００３９】
〈ＭＨＬ判定処理の詳細〉
次に、図５〜図７を参照して、ＭＨＬ判定処理（図２のＳ１０４）の詳細について説明する。
まず、図５を参照して、テレビジョン装置２０と携帯端末１１との間のＭＨＬ接続による電波信号の送受信の詳細について説明する。
テレビジョン装置２０は、ＨＤＭＩコネクタ２１５を介して例えば＋５Ｖの電源を供給するための電源２１１と、フルセグ放送やワンセグ放送等のデジタル放送に好適な帯域の電波を受信するＴＶアンテナ２３０と、Ｆ接栓アンテナ端子２４０から電波を受信して電波信号に変換する整合部２５１と、整合部２５１とＨＤＭＩ入力部２６１を切り換えるためのＭＨＬスイッチ２１２と、ＨＤＭＩ信号入力のインターフェイスとＭＨＬインターフェイスとを兼用するＨＤＭＩ入力部２６１と、Ｆ接栓アンテナ端子２４０から入力したテレビジョン放送電波を復調するＴＶチューナ２７０とを備えている。
また、携帯端末１１のチューナ部１１０は、通常のＭＨＬ通信やＨＤＭＩによる画像とデータの送受信するためのＭＨＬインターフェイス部１１１と、デジタル放送用の端末チューナ部１１２と、ＭＨＬインターフェイス部１１１と端末チューナ部１１２とを切り換えるＭＨＬスイッチ１１３と、端末アンテナ１４０からの信号線とＭＨＬスイッチ１１３からの信号線とを切り換える端末チューナスイッチ１１４とを備えている。
【００４０】
さらに、図６を参照して、実際のＭＨＬによる電波信号の送受信に用いるより詳細な回路の例について説明する。
ＭＨＬで電波信号の送受信を行う場合、図６に示す携帯端末１１のチューナ部１１０のインピーダンスマッチング回路１１６及びテレビジョン装置２０のインピーダンスマッチング回路２５３を用いる必要がある。インピーダンスマッチング回路１１６、２５３は、コイルとコンデンサ（ＬＣ）やトランス等を用いたインピーダンス整合回路である。また、円筒状に示した特性インピーダンス７５Ω、１００Ωの信号線は、インピーダンスコントロールされた伝送路を示す。これらにより、各信号線の規格を損ねることがなく、電波信号を好適に送信可能である。
各信号を送受信する際には、図６の例に示したようなピアサインで行うことができるが、これに限られない。
【００４１】
次に、図７のフローチャートを参照して、ＭＨＬ判定処理の詳細について説明する。
ＭＨＬ判定処理は、接続されるケーブル３１として、例えばＨＤＭＩ−ＵＳＢケーブルを用いて、携帯端末１１からの電波信号を送受信する以外は、ＵＳＢ判定処理と同様である。図７のステップＳ１４１は図４のステップＳ１３１と、ステップＳ１４２はステップＳ１３２と、ステップＳ１４３はステップＳ１３３と、ステップＳ１４４はステップＳ１３４と、ステップＳ１４５はステップＳ１３５と、それぞれ同様の処理を行う。
【００４２】
〈ビデオ判定処理の詳細〉
次に、図８と図９を参照して、ビデオ判定処理（図２のＳ１０５）の詳細について説明する。
まず、図８を参照して、ビデオ判定処理に用いるテレビジョン装置２０と携帯端末１２との間のビデオ信号による電波信号の送受信の詳細について説明する。
テレビジョン装置２０は、フルセグ放送やワンセグ放送等のデジタル放送に好適な帯域の電波を受信するＴＶアンテナ２３０と、Ｆ接栓アンテナ端子２４０から電波を受信して電波信号に変換する整合部２５２と、整合部２５２とビデオ入力部２６２を切り換えるためのビデオスイッチ２２１と、コンポジット信号を入力してＡ／Ｄ変換等を行うビデオ入力部２６２と、Ｆ接栓アンテナ端子２４０から入力したテレビジョン放送電波を復調するＴＶチューナ２７０とを備えている。ビデオ入力部２６２にはビデオアンプ２６３が接続されている。
また、携帯端末１２のチューナ部１２０は、ビデオ信号線から画像とデータの送受信するためのビデオインターフェイス部１２１と、デジタル放送用の端末チューナ部１２２と、ビデオインターフェイス部１２１と端末チューナ部１２２とを切り換えるビデオスイッチ１２３と、端末アンテナ１５０の信号線とビデオスイッチ１２３の信号線とを切り換える端末チューナスイッチ１２４とを備えている。
また、平型コネクタ１２７は、ビデオ（コンポジット）信号を出力する平型コネクタを用いることが可能である。さらに、図８では図示していないが、テレビジョン装置２０から電源を音声ライン等で平型コネクタ１２７に出力し、ビデオスイッチ１２３に供給することもできる。
このように構成することで、ビデオ（ＲＣＡ）ラインは構成が簡単となり、ケーブルも同軸で特性インピーダンス７５Ωのため、電波信号の送信と親和性が高くなる。
【００４３】
次に、図９のフローチャートを参照して、ビデオ判定処理の詳細について説明する。
ビデオ判定処理は、接続されるケーブル３２として、ＲＣＡ−平型端子ケーブルを用いて、ビデオ信号の信号線で電波信号を送受信する以外は、上述のＵＳＢ判定処理やＭＨＬ判定処理と同様である。
すなわち、図４のＵＳＢ判定処理の例で説明すると、図９のステップＳ１５１は図４のステップＳ１３１と、ステップＳ１５２はステップＳ１３２と、ステップＳ１５３はステップＳ１３３と、ステップＳ１５４はステップＳ１３４と、ステップＳ１５５はステップＳ１３５と、それぞれ同様の処理を行う。
【００４４】
以上のように構成することで、以下のような効果を得ることができる。
本発明の実施の形態に係るテレビジョン放送受信システムＸにおいては、テレビジョン装置２０は、ＴＶアンテナ２３０からの電波信号をＦ接栓アンテナ端子２４０により、整合部２５０、２５１、２５２、スイッチ部２００、２１０、２２０、ケーブル３０、３１、３２を介して携帯端末１０、１１、１２へ分配することで、テレビジョン装置２０は携帯端末１０、１１、１２に対して、既存のＵＳＢやＭＨＬやビデオ信号の信号線で電波信号を送信することができる。
これにより、テレビジョン放送受信システムＸは、放送電波の不感地帯においても、携帯端末１０、１１、１２が新たに機器を必要とせずに、デジタル放送の電波信号を受信可能とし、携帯端末１０、１１、１２でデジタル放送の予約録画を失敗せずに行うことができる。また、ＵＳＢコネクタ１０７やＭＨＬのＵＳＢ共用コネクタ１１７で接続を行って放送録画予約を実施している期間は、携帯端末の充電ができる。また、電波信号の送受信に、一般的なケーブル３０、３１、３２を用いるため、コストを削減できる。
また、テレビジョン放送受信システムＸは、テレビジョン装置２０に備わっている放送受信と表示機能を用いてデジタル放送を表示する必要がない。すなわち、電波信号をＵＳＢやＭＨＬやビデオ信号の信号線に送信するため、アンテナ関係の以外の部位へ電力を供給する必要がないので、テレビジョン装置２０において、電力の消費を抑えることができる。
また、テレビジョン放送受信システムＸでは、周辺への電波漏れをほぼ皆無にすることができるので、電波漏れ等の周辺への悪影響を及ぼす恐れを無くすことができる。
【００４５】
なお、上述の実施の形態では、携帯端末１０、１１、１２がテレビジョン装置２０に接続される実施例について説明したが、図１の携帯端末１０、１１、１２のいずれか一つをいずれかのコネクタに接続することでもよい。
また、テレビジョン装置２０は、ＵＳＢやＭＨＬやビデオ以外のケーブルとデータ送信の方式を用いて、電波信号を携帯端末１０、１１、１２に送信してもよい。
【００４６】
また、テレビジョン装置２０において、電波信号を一旦、Ａ／Ｄ変換し、ＵＳＢやＭＨＬやビデオ信号を用いて符号化／変調して送信することもできる。そして、携帯端末１０、１１、１２のチューナ部１００、１１０、１２０にて復号化／復調するように構成することもできる。この場合、テレビジョン装置２０から電波信号を直接、ＵＳＢやＭＨＬやビデオ信号で送信することで、ノイズを避けることができる。
また、電源線はＤＣであるので、ＵＳＢやＭＨＬの電源線に電波信号帯を重畳することも可能である。
【００４７】
なお、本発明は、テレビジョン装置２０に限定されず、デジタル放送が受信可能なデジタルチューナ、ハードディスクレコーダ、ブルーレイレコーダ、セットトップボックス、ディスプレイ装置、テレビジョン、プロジェクタ、携帯電話、スマートフォン、ＰＤＡ（パーソナル・データ・アシスタント）、ＭＩＤ（モバイル・インターネット端末）、ネットブック、ノートＰＣ、ワンセグテレビ、ビデオゲーム機等の放送受信装置に適用可能である。
【００４８】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００４９】
１０・・・・・携帯端末
１１・・・・・携帯端末
１２・・・・・携帯端末
２０・・・・・テレビジョン装置
３０・・・・・ケーブル
３１・・・・・ケーブル
３２・・・・・ケーブル
１００・・・・・チューナ部
１０１・・・・・ＵＳＢインターフェイス部
１０２・・・・・端末チューナ部
１０３・・・・・ＵＳＢスイッチ
１０４・・・・・端末チューナスイッチ
１０７・・・・・ＵＳＢコネクタ
１１０・・・・・チューナ部
１１１・・・・・ＭＨＬインターフェイス部
１１２・・・・・端末チューナ部
１１３・・・・・ＭＨＬスイッチ
１１４・・・・・端末チューナスイッチ
１１６・・・・・インピーダンスマッチング回路
１１７・・・・・ＵＳＢ共用コネクタ
１２０・・・・・チューナ部
１２１・・・・・ビデオインターフェイス部
１２２・・・・・端末チューナ部
１２３・・・・・ビデオスイッチ
１２４・・・・・端末チューナスイッチ
１２７・・・・・平型コネクタ
１３０・・・・・端末アンテナ
１４０・・・・・端末アンテナ
１５０・・・・・端末アンテナ
２００・・・・・スイッチ部
２０１・・・・・電源
２０２・・・・・ＵＳＢスイッチ
２０５・・・・・ＵＳＢコネクタ
２１０・・・・・スイッチ部
２１１・・・・・電源
２１２・・・・・ＭＨＬスイッチ
２１５・・・・・ＨＤＭＩコネクタ
２２０・・・・・スイッチ部
２２１・・・・・ビデオスイッチ
２２５・・・・・ＲＣＡコネクタ
２３０・・・・・ＴＶアンテナ
２４０・・・・・Ｆ接栓アンテナ端子
２５０・・・・・整合部
２５１・・・・・整合部
２５２・・・・・整合部
２５３・・・・・インピーダンスマッチング回路
２６０・・・・・ＵＳＢインターフェイス部
２６１・・・・・ＨＤＭＩ入力部（ＭＨＬ Ｉ／Ｆ）
２６２・・・・・ビデオ入力部
２６３・・・・・ビデオアンプ
２７０・・・・・ＴＶチューナ
【図１】
2014011516.tif 000003
【図２】
2014011516.tif 000004
【図３】
2014011516.tif 000005
【図４】
2014011516.tif 000006
【図５】
2014011516.tif 000007
【図６】
2014011516.tif 000008
【図７】
2014011516.tif 000009
【図８】
2014011516.tif 000010
【図９】
2014011516.tif 000011